(57)【要約】基板を反応管内に搬入する工程と、前記反応管内にガス供給ラインよりガスを供給しつつ、排気ラインより排気装置にて排気すると共に、前記排気ラインに設けられた圧力センサからの出力に基づいて前記反応管内の圧力を制御して基板を処理する工程と、処理後の基板を前記反応管内から搬出する工程と、前記ガス供給ライン、前記反応管、前記排気ラインを含むガス流通経路のリークチェックを行う工程と、を有し、前記リークチェックを行う工程では、前記ガス流通経路を少なくとも前記圧力センサおよび前記排気装置と連通する複数の区間に分け、各区間の上流端を閉塞した状態で各区間内を前記排気装置にて排気すると共に各区間内の圧力を前記圧力センサにて測定し、その測定した圧力により区間毎にガス流通経路のリークの有無を判断する半導体装置の製造方法。
2007111351.tif 000002
【特許請求の範囲】
【請求項１】
基板を反応管内に搬入する工程と、
前記反応管内にガス供給ラインよりガスを供給しつつ、排気ラインより排気装置にて排気すると共に、前記排気ラインに設けられた圧力センサからの出力に基づいて前記反応管内の圧力を制御して基板を処理する工程と、
処理後の基板を前記反応管内から搬出する工程と、
前記ガス供給ライン、前記反応管、前記排気ラインを含むガス流通経路のリークチェックを行う工程と、
を有し、
前記リークチェックを行う工程では、
前記ガス流通経路を少なくとも前記圧力センサおよび前記排気装置と連通する複数の区間に分け、各区間の上流端を閉塞した状態で各区間内を前記排気装置にて排気すると共に各区間内の圧力を前記圧力センサにて測定し、その測定した圧力により区間毎にガス流通経路のリークの有無を判断する半導体装置の製造方法。
【請求項２】
前記リークチェックを行う工程では、
前記ガス流通経路の最も下流にある区間から上流に向かって順にリークの有無を判断する請求項１記載の半導体装置の製造方法。
【請求項３】
前記リークチェックを行う工程では、
前記ガス流通経路の最も容積の小さい区間から容積の小さい順にリークの有無を判断する請求項１記載の半導体装置の製造方法。
【請求項４】
前記リークチェックを行う工程では、
前記ガス流通経路のうち少なくとも前記排気ラインを前記複数の区間に分け、各区間毎に前記排気ラインにおけるリークの有無を判断する請求項１記載の半導体装置の製造方法。
【請求項５】
前記リークチェックを行う工程では、
前記ガス流通経路を少なくとも、前記排気ラインの上流端よりも下流側の第１区間と、前記反応管内にガスを導入する導入口の上流端よりも下流側の第２区間とに分け、区間毎にリークの有無を判断する請求項１記載の半導体装置の製造方法。
【請求項６】
前記リークチェックを行う工程では、
前記第１区間をさらに複数の区間に分け、区間毎にリークの有無を判断する請求項５記載の半導体装置の製造方法。
【請求項７】
前記リークチェックを行う工程では、
前記第１区間、前記第２区間の順にリークの有無を判断する請求項５記載の半導体装置の製造方法。
【請求項８】
前記リークチェックを行う工程では、
前記ガス流通経路を、少なくとも、前記排気ラインの上流端よりも下流側の第１区間と、前記反応管内にガスを導入する導入口の上流端よりも下流側の第２区間と、前記ガス供給ラインの上流側の所定箇所よりも下流側の第３区間とに分け、区間毎にリークの有無を判断する請求項１記載の半導体装置の製造方法。
【請求項９】
前記リークチェックを行う工程では、
前記第１区間、前記第２区間、前記第３区間の順にリークの有無を判断する請求項８記載の半導体装置の製造方法。
【請求項１０】
前記ガス流通経路にリークがない状態において、前記ガス供給ライン上流側を閉塞しつつ、前記反応管内を前記排気装置にて真空排気し、そのときの到達圧力を測定する工程と、
前記測定した到達圧力を基準圧力として記憶する工程と、
をさらに有し、
前記リークチェックを行う工程では、
前記測定した各区間内の圧力を、前記記憶した基準圧力と比較することで、区間毎に前記ガス流通経路のリークの有無を判断する請求項１記載の半導体装置の製造方法。
【請求項１１】
前記リークチェックを行う工程では、
前記測定した各区間内の圧力が、前記基準圧力と同等の圧力となった場合、その区間にはリークポイントがないものと判断し、前記測定した各区間内の圧力が、前記基準圧力と同等の圧力とならなかった場合、その区間にはリークポイントがあるものと判断する請求項１０記載の半導体装置の製造方法。
【請求項１２】
基板を反応管内に搬入する工程と、
前記反応管内にガス供給ラインよりガスを供給しつつ、排気ラインより排気装置にて排気すると共に、前記排気ラインに設けられた圧力センサからの出力に基づいて前記反応管内の圧力を制御して基板を処理する工程と、
処理後の基板を前記反応管内から搬出する工程と、
前記ガス供給ライン、前記反応管、前記排気ラインを含むガス流通経路のうち少なくとも前記排気ラインのリークチェックを行う工程と、
を有し、
前記リークチェックを行う工程では、
前記排気ラインを少なくとも前記圧力センサおよび前記排気装置と連通する複数の区間に分け、各区間の上流端を閉塞した状態で各区間内を前記排気装置にて排気すると共に各区間内の圧力を前記圧力センサにて測定し、その測定した圧力により区間毎に前記排気ラインのリークの有無を判断する半導体装置の製造方法。
【請求項１３】
前記基板を処理する工程では、ガスクーラ及び廃液ラインが接続された排気ラインより前記排気装置にて排気する請求項１２記載の半導体装置の製造方法。
【請求項１４】
前記基板を処理する工程では、フッ素樹脂製の配管を有する排気ラインより前記排気装置にて排気する請求項１２記載の半導体装置の製造方法。
【請求項１５】
前記基板を処理する工程では、基板に対し酸化処理または拡散処理を行う請求項１２記載の半導体装置の製造方法。
【発明の詳細な説明】
【技術分野】
【０００１】
本発明はシリコンウェーハ、ガラス基板等の基板を処理して半導体装置を製造する場合の半導体装置の製造方法に関するものである。
【背景技術】
【０００２】
基板を処理して半導体装置を製造する過程で、薄膜の生成、不純物の拡散、アニール処理、エッチング等の各種基板処理がなされるが、基板処理工程に於いて処理圧力の管理は基板品質等基板処理品質に影響する。従って、基板が処理される処理室の圧力は圧力センサが検出する検出結果を基に所定の処理圧に制御されている。【０００３】
又、処理室、ガス給排ラインのリークは処理圧の制御に影響を及ぼし、基板の処理品質を左右する。従って、処理室、ガス給排ラインについてリークの有無を検査することは不可欠である。【０００４】
【特許文献１】特開平９−２８０９９５号公報
【発明の開示】
【発明が解決しようとする課題】
【０００５】
本発明は斯かる実情に鑑み、ガス給排ラインのリーク検出を可能とし、基板の処理品質、歩留りの向上を図った半導体装置の製造方法を提供するものである。
【課題を解決するための手段】
【０００６】
本発明は、基板を反応管内に搬入する工程と、前記反応管内にガス供給ラインよりガスを供給しつつ、排気ラインより排気装置にて排気すると共に、前記排気ラインに設けられた圧力センサからの出力に基づいて前記反応管内の圧力を制御して基板を処理する工程と、処理後の基板を前記反応管内から搬出する工程と、前記ガス供給ライン、前記反応管、前記排気ラインを含むガス流通経路のリークチェックを行う工程と、を有し、前記リークチェックを行う工程では、前記ガス流通経路を少なくとも前記圧力センサおよび前記排気装置と連通する複数の区間に分け、各区間の上流端を閉塞した状態で各区間内を前記排気装置にて排気すると共に各区間内の圧力を前記圧力センサにて測定し、その測定した圧力により区間毎にガス流通経路のリークの有無を判断する半導体装置の製造方法に係るものである。【０００７】
また、本発明は、基板を反応管内に搬入する工程と、前記反応管内にガス供給ラインよりガスを供給しつつ、排気ラインより排気装置にて排気すると共に、前記排気ラインに設けられた圧力センサからの出力に基づいて前記反応管内の圧力を制御して基板を処理する工程と、処理後の基板を前記反応管内から搬出する工程と、前記ガス供給ライン、前記反応管、前記排気ラインを含むガス流通経路のうち少なくとも前記排気ラインのリークチェックを行う工程と、を有し、前記リークチェックを行う工程では、前記排気ラインを少なくとも前記圧力センサおよび前記排気装置と連通する複数の区間に分け、各区間の上流端を閉塞した状態で各区間内を前記排気装置にて排気すると共に各区間内の圧力を前記圧力センサにて測定し、その測定した圧力により区間毎に前記排気ラインのリークの有無を判断する半導体装置の製造方法に係るものである。
【発明の効果】
【０００８】
本発明によれば、ガス流通経路を、複数の区間毎にリークチェックできるので、リークがある場合にリークポイントの特定を迅速かつ容易に行うことができ、また、排気ラインに設けられた圧力センサを用いるので、排気ラインを個別にリークチェックすることもでき、基板処理の品質管理、歩留り向上が図れるという優れた効果を発揮する。【０００９】
また、本発明によれば、ガス流通経路のうち少なくとも排気ラインを、複数の区間毎にリークチェックすることができるので、排気ラインにリークがある場合でもリークポイントの特定を迅速かつ容易に行うことができ、基板処理の品質管理、歩留り向上が図れるという優れた効果を発揮する。
【図面の簡単な説明】
【００１０】
【図１】本発明の実施の形態を示す概略構成図である。
【図２】本発明の実施の形態に用いられる処理炉の一例を示す断面図である。
【図３】本発明の実施の形態に用いられる水蒸気発生装置を示す概略構成図である。
【図４】本発明の実施の形態に於けるリークチェックについての説明図である。
【図５】本発明の実施の形態に於けるリークチェックについての説明図である。
【図６】本発明の実施の形態に於けるリークチェックについての説明図である。
【符号の説明】
【００１１】
１      均熱管
２      反応管
３      ガス供給管
４      ガス排気管
５      導入口
９      排気口
１６    ボート
１８    ボートエレベータ
１９    処理室
２０    処理炉
２３    相対圧検出センサ
２４    圧力制御弁
２４ｂ  絶対圧検出センサ
３０    排気ライン
３１    ガスクーラ
【発明を実施するための最良の形態】
【００１２】
以下、図面を参照しつつ本発明を実施するための最良の形態を説明する。【００１３】
半導体装置の製造に用いられる基板処理装置としては、１枚ずつ処理する枚葉式の基板処理装置、所定枚数の基板を一度に処理するバッチ式の基板処理装置があり、以下は本発明がバッチ式の基板処理装置で実施された一例を説明する。【００１４】
先ず、図１に於いて、バッチ式の基板処理装置について概略を説明する。【００１５】
均熱管１の内部に反応管２が同心に設けられ、該反応管２の周囲を囲む様に、ヒータ１０が同心に配設されている。該ヒータ１０はヒータベース２１に立設され、前記反応管２は気密容器４５に立設されている。該気密容器４５は移載室４６を画成し、該移載室４６と処理室１９とは炉口部を介して連通され、該炉口部は炉口シャッタ４７によって気密に閉塞可能となっている。前記均熱管１、前記反応管２、前記ヒータ１０等は、処理炉２０を構成する。【００１６】
前記反応管２の上面にはガス溜め部７が設けられ、該ガス溜め部７にはガス供給管３が導入口５、導管６を介して連通され、処理ガスが分散孔８を介してシャワー状に導入される様になっている。又、前記反応管２の下部には排気口９が連通され、該排気口９には前記処理室１９の雰囲気を排気するガス排気管４が接続され、後述する様に該ガス排気管４より下流側は排気ライン３０を構成している。【００１７】
前記移載室４６にはボートエレベータ１８、基板移載機４９が収納され、前記ボートエレベータ１８はシールキャップ１３を介して基板保持具（ボート）１６を昇降可能に支持し、前記ボートエレベータ１８は前記ボート１６を昇降させ、前記処理室１９に装入、該処理室１９から引出し可能であり、前記シールキャップ１３は上昇状態で前記炉口部を気密に閉塞可能となっている。【００１８】
前記基板移載機４９は前記ボートエレベータ１８と対向して配置され、降下状態の前記ボート１６に対して未処理基板を装填し、処理済基板を払出し可能となっている。【００１９】
前記処理炉２０の一例について、図２を参照して説明する。【００２０】
前記均熱管１は、例えば、炭化珪素（ＳｉＣ）等の耐熱性材料からなり、上端が閉塞し、下端が開口した形状となっている。前記反応管２は、例えば石英（ＳｉＯ2 ）等の耐熱性材料からなり、上端が閉塞し、下端が開口した円筒形状となっている。なお、先述の導管６及び排気口９も、反応管２と同様に、例えば石英（ＳｉＯ2 ）等の耐熱性材料から構成されている。前記処理室１９には前記ボート１６が収納され、該ボート１６は、例えば石英や炭化珪素等の耐熱性材料からなり、基板（ウェーハ）１７を水平姿勢で多段に保持する様になっており、前記ボート１６は下部に断熱機能を有するボートキャップ１５を有している。【００２１】
該ボートキャップ１５は、例えば石英や炭化珪素等の耐熱性材料からなり、前記ヒータ１０からの熱が前記反応管２の下端側に伝わり難くなる様に構成されている。【００２２】
前記ガス供給管３は、ガス流量制御器としてのＭＦＣ（マスフローコントローラ）２２を介して図示しない処理ガス供給源、キャリアガス供給源、不活性ガス供給源に接続されている。尚、前記処理室１９に水蒸気を供給する必要がある場合は、前記マスフローコントローラ２２よりも下流側に、後述する水蒸気発生装置１００（図３）が設けられる。前記マスフローコントローラ２２には、ガス流量制御部２７が電気的に接続されており、供給するガスの流量が所望の量となる様所望のタイミングにて制御する様に構成されている。又、前記ガス供給管３、前記マスフローコントローラ２２等はガス供給ラインを構成する。【００２３】
前記ガス排気管４の下流側には圧力検出器としての相対圧検出センサ２３及び圧力制御弁２４が設けられ、該圧力制御弁２４は排気装置としての真空発生器２４ａ（後述）を有しており、前記処理室１９の圧力が所定の圧力となる様排気し得る様に構成されている。前記圧力制御弁２４及び前記相対圧検出センサ２３、後述する絶対圧検出センサ２４ｂ、後述するエアバルブ３９等には、圧力制御部２９が電気的に接続されており、該圧力制御部２９は、前記相対圧検出センサ２３により検出された圧力に基づいて、後述するエアバルブ３９の開閉動作を所望のタイミングで制御する様に、また、前記絶対圧検出センサ２４ｂにより検出された圧力に基づいて前記圧力制御弁２４により前記処理室１９の圧力が所望の圧力となる様に、所望のタイミングにて制御する様に構成されている。又、前記ガス排気管４、前記圧力制御弁２４等は排気ライン３０を構成する。【００２４】
前記反応管２の下端部には、ベース１２と、炉口蓋体としての前記シールキャップ１３が設けられている。該シールキャップ１３は例えばステンレス等の金属からなり、円盤状に形成されている。前記ベース１２は例えば石英からなり、円盤状に形成され、前記シールキャップ１３の上に取付けられている。前記ベース１２の上面には前記反応管２の下端と当接するシール部材としてのＯリング１２ａが設けられている。【００２５】
前記シールキャップ１３の下側には、ボートを回転させる回転手段１４が設置されている。該回転手段１４の回転軸１４ａは前記シールキャップ１３と前記ベース１２を貫通しており、前記回転軸１４ａは前記ボートキャップ１５を介して前記ボート１６を支持し、前記ボートキャップ１５を介して前記ボート１６を回転させる様に構成されている。【００２６】
前記シールキャップ１３は上記した様に前記ボートエレベータ１８に支持され、該ボートエレベータ１８によって昇降されることで、前記ボート１６は前記処理室１９に対し搬入搬出することが可能となっている。前記回転手段１４及び前記ボートエレベータ１８には、駆動制御部２８が電気的に接続されており、所望の動作をする様所望のタイミングにて制御する様に構成されている。【００２７】
前記均熱管１と前記反応管２との間には、温度検出器としての温度センサ１１が設置されている。前記ヒータ１０と前記温度センサ１１には、電気的に温度制御部２６が接続されており、前記温度センサ１１により検出された温度情報に基づき前記ヒータ１０への通電具合を調整することにより前記処理室１９の温度が所望の温度分布となる様所望のタイミングにて制御する様に構成されている。【００２８】
前記温度制御部２６、前記ガス流量制御部２７、前記圧力制御部２９、前記駆動制御部２８は、操作部、入出力部をも構成している。これら、前記温度制御部２６、前記ガス流量制御部２７、前記圧力制御部２９、前記駆動制御部２８は主制御部２５として構成されている。【００２９】
水蒸気発生装置１００の一例について、図３を参照して説明する。【００３０】
水蒸気発生装置１００の一例として、外部燃焼装置（外部トーチ）を用いて、水蒸気（Ｈ２Ｏ）を発生する装置を説明する。水蒸気発生装置１００は、水素（Ｈ２）ガス源８２ａ、酸素（Ｏ２）ガス源８２ｂ、及び外部燃焼装置８６を有する。水素ガス源８２ａ、酸素ガス源８２ｂは、それぞれ開閉バルブ８８ａ、８８ｂ及びＭＦＣ（マスフローコントローラ）２２ａ、２２ｂを介して、ガス供給管９２ａ、９２ｂにより、外部燃焼装置８６に並列に接続されている。【００３１】
外部燃焼装置８６には、発生した水分を先述の処理室１９内に供給する先述のガス供給管３が接続されている。ＭＦＣ２２ａ、２２ｂ、開閉バルブ８８ａ、８８ｂ、外部燃焼装置８６には、先述のガス流量制御部２７（図２）が電気的に接続されており、水素ガス源８２ａ、酸素ガス源８２ｂから供給するＨ２ガス、Ｏ２ガスの流量、外部燃焼装置８６にて発生させ供給する水蒸気（Ｈ２Ｏ）の流量が所望の量となるよう所望のタイミングにて制御するように構成されている。【００３２】
水蒸気発生装置１００では、水素ガス源８２ａ、酸素ガス源８２ｂから供給されたＨ２ガス、Ｏ２ガスを外部燃焼装置８６で燃焼させて水蒸気（Ｈ２Ｏ）を発生させる。発生した水蒸気（Ｈ２Ｏ）は外部燃焼装置８６よりガス供給管３を通して処理室１９内に供給される。【００３３】
水蒸気発生装置１００の一例として、水蒸気（Ｈ２Ｏ）を発生する外部燃焼装置（外部トーチ）を用いることに替えて、触媒反応を利用する水蒸気発生装置を用いても良い。触媒反応を利用する場合、図３に示す外部燃焼装置８６の代わりに、触媒反応装置８７を用いる。これ以外の構成は、外部燃焼装置（外部トーチ）を用いる水蒸気発生装置と同様である。【００３４】
触媒反応装置８７を用いる水蒸気発生装置１００では、水素ガス源８２ａ、酸素ガス源８２ｂから供給されたＨ２ガス、Ｏ２ガスは、触媒反応装置８７内に設けられた白金等の触媒と接触し、白金等と接触したＨ２ガス、Ｏ２ガスは、白金等の触媒作用によって活性化され、反応性が高められた状態となる。活性化されたＨ２ガスとＯ２ガスは、発火温度よりも低い温度で反応し水蒸気（Ｈ２Ｏ）が生成される。生成された水蒸気（Ｈ２Ｏ）は触媒反応装置８７よりガス供給管３を通して処理室１９内に供給される。触媒反応装置８７を用いる水蒸気発生装置１００によれば、外部燃焼装置８６を用いる水蒸気発生装置１００のような高温燃焼を伴うことなく水蒸気を発生させることができる。【００３５】
前記排気ライン３０について図１を参照して説明する。【００３６】
前記排気口９に接続された前記ガス排気管４は耐熱、耐食性の合成樹脂製であり、例えば、テフロン（登録商標）などのフッ素樹脂製であり、工場排気装置のダクト等に接続されている。前記ガス排気管４には、下流側に向ってガスクーラ３１、前記絶対圧検出センサ２４ｂ、前記相対圧検出センサ２３、前記圧力制御弁２４、前記真空発生器２４ａ、第１開閉弁３２等が設けられている。前記相対圧検出センサ２３は差圧型センサ（相対圧計）であり、前記処理室１９と外気との差圧を検出可能となっている。前記ガスクーラ３１の下流側に排液ライン３４が連通され、該排液ライン３４には下流側に向って第１エアバルブ３５、貯溜具であるドレインタンク３６、第２エアバルブ３７が設けられている。【００３７】
前記ドレインタンク３６は、１回の処理で発生する水分を充分貯溜することができる容量を有している。【００３８】
前記ガス排気管４、前記排液ライン３４、前記相対圧検出センサ２３、及び前記絶対圧検出センサ２４ｂは、ブロック５２に接続され、ブロック５２によって互いに連通した状態となっている。ブロック５２は、例えばフッ素樹脂製であり、内部にガス流路が形成されている。前記相対圧検出センサ２３及び前記絶対圧検出センサ２４ｂは、前記処理室１９内を排気する際の排気圧、具体的にはブロック５２内の排気圧の相対圧及び絶対圧を、それぞれ検出している。【００３９】
前記排液ライン３４の前記ガスクーラ３１と前記第１エアバルブ３５との間、すなわち前記排液ライン３４の第１エアバルブ３５よりも上流側と、前記ガス排気管４の前記第１開閉弁３２よりも下流側はバイパスライン３８によって接続され、該バイパスライン３８には前記排液ライン３４から前記ガス排気管４に向って第３エアバルブ３９、第２開閉弁４０が設けられている。前記第３エアバルブ３９は、前記処理室１９の圧力が外気と同等となった時に開となり、前記処理室１９の圧力を逃す様になっている。又、前記第３エアバルブ３９は、前記相対圧検出センサ２３が外気の圧力以上の圧力を検出した場合、前記反応管２が過加圧により割れたりしない様に開となり、前記処理室１９の圧力を逃す様になっている。【００４０】
前記圧力制御弁２４は、排気装置として用いられる真空ポンプ等の真空発生器２４ａ、前記処理室１９内部の絶対圧を検出する圧力検出器としての前記絶対圧検出センサ（絶対圧計）２４ｂを有し、前記真空発生器２４ａには真空圧発生用のＮ２供給ライン（図示せず）が接続され、前記絶対圧検出センサ２４ｂは前記ガス排気管４内の絶対圧を検出する様になっている。【００４１】
次に、上記構成に係る処理炉２０を用いて、半導体デバイスの製造工程の１工程として、ウェーハ１７に酸化、拡散等の処理を施す方法について説明する。尚、以下の説明に於いて、基板処理装置を構成する各部の動作は前記主制御部２５により制御される。【００４２】
基板処理を開始する前工程として、前記排気ライン３０等のリークチェックが行われ、該排気ライン３０等についてリークがないことが確認されて実質的な基板処理が開始される。基板処理前に事前にリークチェックを行うことで、基板の処理不良を防止でき、歩留りの向上が図れる。【００４３】
尚、前記排気ライン３０等のリークチェックは、基板処理装置のセットアップ時に行うのがよい。また、後述するボート１６を処理室１９に搬入する前に行ってもよいし、後述するボート１６が前記処理室１９に搬入（ボートローディング）した後、処理ガスを供給する前の工程として実施してもよい。或は、基板処理と基板処理との間に定期的にリークチェックをしてもよい。更には、基板処理装置に異常が見られた時点で行うようにしても良い。【００４４】
前記移載室４６で所定枚数のウェーハ１７が前記ボート１６に装填（ウェーハチャージ）されると、該ボート１６は、前記ボートエレベータ１８により上昇され、前記処理室１９に搬入（ボートローディング）される。この状態で、前記シールキャップ１３はベース１２、Ｏリング１２ａを介して前記反応管２下端（炉口部）を気密に閉塞した状態となる。  【００４５】
前記処理室１９が所望の圧力（陰圧）となる様に前記圧力制御弁２４を制御しつつ前記真空発生器２４ａによって排気される。この際、前記処理室１９の圧力は、前記絶対圧検出センサ２４ｂで測定され、この測定された圧力に基づき前記圧力制御弁２４がフィードバック制御される。又、前記処理室１９が所望の温度となる様に前記ヒータ１０によって加熱されて、昇温される。この際、前記処理室１９が所望の温度分布となる様に前記温度センサ１１が検出した温度情報に基づき前記ヒータ１０への通電具合がフィードバック制御される。続いて、前記回転手段１４により、前記ボートキャップ１５、前記ボート１６が回転されることで、ウェーハ１７が回転される。【００４６】
次いで、図示しない処理ガス供給源及びキャリアガス供給源から供給され、前記マスフローコントローラ２２にて所望の流量となる様に制御されたガスは、前記ガス供給管３から前記導入口５、前記導管６、前記ガス溜め部７を経て前記分散孔８から前記処理室１９にシャワー状に導入される。【００４７】
尚、ウェーハ１７に対して水蒸気を用いた処理を行う場合は、前記マスフローコントローラ２２にて所望の流量となる様に制御されたガスが水蒸気発生装置に供給され、水蒸気発生装置にて生成された水蒸気（Ｈ２Ｏ）を含むガスが前記処理室１９に導入される。すなわち、先述の図３において、マスフローコントローラ２２ａ、２２ｂにて所望の流量となるように制御されたＨ２ガス、Ｏ２ガスが、外部燃焼装置８６、または触媒反応装置８７に供給されることで水蒸気（Ｈ２Ｏ）が生成され、水蒸気（Ｈ２Ｏ）を含むガスが前記処理室１９に導入される。導入されたガスは前記処理室１９を流下し、前記排気口９を流通して前記ガス排気管４から排気される。ガスは前記処理室１９を通過する際にウェーハ１７の表面と接触し、ウェーハ１７に対して酸化、拡散等の処理がなされる。【００４８】
予め設定された処理時間が経過すると、不活性ガス供給源から不活性ガスが供給されて、前記処理室１９が不活性ガスに置換され、その後、不活性ガスの供給を維持した状態で、主制御部２５からの指令により制御圧力弁２４が閉じられ、前記処理室１９の圧力が常圧に復帰される。この際、前記処理室１９の圧力が前記相対圧検出センサ２３により測定され、測定された圧力に基づきフィードバック制御される。すなわち、前記相対圧検出センサ２３が外気の圧力以上の圧力を検出した場合、前記反応管２が過加圧により割れたりしない様に前記第３エアバルブ３９が開となるように制御される。【００４９】
その後、処理室１９内が降温された後、前記ボートエレベータ１８により前記ボート１６が降下されて、炉口部が開口されると共に、処理済ウェーハ１７が前記ボート１６に保持された状態で炉口部から前記移載室４６に搬出（ボートアンローディング）される。その後、処理済ウェーハ１７は一定の冷却時間を経て前記基板移載機４９より払出される（ウェーハディスチャージ）。尚、炉口部は前記炉口シャッタ４７によって気密に閉塞される。【００５０】
尚、一例迄、本実施の形態の処理炉にてウェーハを処理する際の処理条件としては、例えば、酸化処理に於いては、処理温度８００〜１０００℃、処理圧力９４０〜９８０ｈＰａ、ガス種、ガス供給流量Ｈ２／Ｏ２ 、１〜１０ｓｌｍ／1〜２０ｓｌｍが例示され、それぞれの処理条件をそれぞれの範囲内のある値で一定に維持することで基板処理がなされる。【００５１】
次に、リークチェックについて説明する。尚、装置セットアップ時のリークチェックと、基板処理開始前又は装置に異常が見られたときのリークチェックとでは、やり方が異なるため、以下、まず、リークチェックが基板処理開始前又は装置に異常が見られた時に実行される場合を説明し、次に、リークチェックが装置セットアップ時に実行される場合を説明する。【００５２】
まず、リークチェックの事前準備として行う基準圧力の測定の具体的な方法について説明する。事前に、ガス供給管３、反応管２、排気ライン３０等で構成されるガス流通経路全体にリークがないことを確認した後、炉内圧力の設定値を大気圧よりも充分に低い値、例えば８００ｈＰａ、に設定し、炉内にガスを流さない状態で、即ち前記ガス供給管３の上流側を閉塞した状態で、排気装置としての前記真空発生器２４ａにより前記処理室１９を真空排気する（ＳＴＥＰ：００）。この状態で得られた真空状態を引切りと称し、引切り時の圧力（引切り圧力）、すなわち、引切りに到達した圧力を前記絶対圧検出センサ２４ｂにより検出し、引切り圧力をデータとして記録する。引切り圧力は、リークチェックの基準となる圧力であり前記主制御部２５の記憶部（図示せず）等に記憶する。【００５３】
次に、基板処理開始前又は装置に異常が見られたときの、リークチェックの具体的な方向について説明する。まず、圧力の設定値をＳＴＥＰ：００と同様に設定し、図４に示される様に、前記ガスクーラ３１の上流側で、前記ガス排気管４を閉塞し、排気装置としての前記真空発生器２４ａにより前記排気ライン３０を真空排気する（ＳＴＥＰ：０１）。前記ガス排気管４の閉塞は、例えば前記ガスクーラ３１の上流側にエアバルブを設け、このエアバルブを閉じることにより行う。【００５４】
この時の、該排気ライン３０の圧力は前記絶対圧検出センサ２４ｂによって検出され、ＳＴＥＰ：００で取得した引切り圧力値と比較し、ＳＴＥＰ：０１で検出した圧力が前記引切り圧力値と同一であれば、前記ガスクーラ３１の上流側迄の区間（区間Ａ）にはリークポイントはないと判断される。一方、ＳＴＥＰ：０１で得られた検出圧力値が引切り圧力値より高い場合は、区間Ａにリークポイントが有ると判断される。区間Ａのリークチェック後、ガスクーラ３１の上流側でのガス排気管４の閉塞を解き、区間Ａを大気圧に戻す。このとき、ガス供給管３より区間Ａに対し、不活性ガスを供給するようにしてもよい。【００５５】
次に、圧力の設定値は、ＳＴＥＰ：００と同様に設定したままの状態で、図５に示される様に前記ガス排気管４の上流端（例えば排気口９）を閉塞し、排気装置としての前記真空発生器２４ａにより前記排気ライン３０を真空排気する（ＳＴＥＰ：０２）。前記ガス排気管４の閉塞は、例えば該ガス排気管４の上流端付近にエアバルブを設け、このエアバルブを閉じることにより行う。この時の、該排気ライン３０の圧力は前記絶対圧検出センサ２４ｂによって検出され、前記引切り圧力値と比較され、ＳＴＥＰ：０２で検出した圧力が前記引切り圧力値と同一であれば、前記ガス排気管４の上流端迄の区間（区間Ｂ）にはリークポイントはないと判断される。一方、ＳＴＥＰ：０２で得られた検出圧力値が引切り圧力値より高い場合は、区間Ｂにリークポイントが有ると判断される。【００５６】
例えば区間Ａにはリークポイントがなく区間Ｂにリークポイントが有る場合は、区間Ａと区間Ｂが重複しない区間、即ち前記ガスクーラ３１の上流側から前記ガス排気管４の上流端迄の区間にリークポイントが有ると判断される。区間Ｂのリークチェック後、ガス排気管４の上流端でのガス排気管４の閉塞を解き、区間Ｂを大気圧に戻す。この時、ガス供給管３より区間Ｂに対して不活性ガスを供給するようにしても良い。【００５７】
更に、圧力の設定値は、ＳＴＥＰ：００と同様に設定したままの状態で、図６に示される様に、前記導入口５の上流端を閉塞し、排気装置としての前記真空発生器２４ａにより前記排気ライン３０、前記反応管２を真空排気する（ＳＴＥＰ：０３）。前記導入口５の閉塞は、例えば該導入口５の上流端付近にエアバルブを設け、このエアバルブを閉じることにより行う。この時の前記排気ライン３０の圧力は前記絶対圧検出センサ２４ｂによって検出され、前記引切り圧力値と比較され、ＳＴＥＰ：０３で検出した圧力が前記引切り圧力値と同一であれば、前記導入口５の上流端迄の区間（区間Ｃ）にはリークポイントはないと判断される。一方、ＳＴＥＰ：０３で得られた検出圧力値が引切り圧力値より高い場合は、区間Ｃにリークポイントが有ると判断される。【００５８】
例えば区間Ｂにはリークポイントがなく、区間Ｃにリークポイントが有る場合は、区間Ｂと区間Ｃが重複しない区間、即ち前記ガス排気管４の上流端から前記導入口５の上流端迄の区間にリークポイントが有ると判断される。区間Ｃのリークチェック後、導入口５の上流端でのガス供給管３の閉塞を解き、区間Ｃを大気圧に戻す。この時、ガス供給管３より区間Ｃに対して不活性ガスを供給するようにしても良い。【００５９】
次に、装置セットアップ時のリークチェックについて説明する。
装置セットアップ時のリークチェックにおいては、たとえ引き切り圧力を検出したとしても、ガス供給管３、反応管２、排気ライン３０等で構成されるガス流通経路全体のいずれかの位置にリークが有った場合、検出した引き切り圧力は、リークの有る状態での引き切り圧力であり、リークチェックの基準値とすることはできない。このため、先述の基板処理開始前又は装置に異常が見られたときのリークチェックのように検出値（検出した圧力）が基準値（基準となる圧力）に到達するかどうかでリークの有無を判断するのではなく、設定値（設定した圧力）と検出値（検出した圧力）とを比較し、検出値が設定値に到達するかどうかでリークの有無を判断する。以下具体的に説明する。【００６０】
まず、炉内圧力の設定値を大気圧よりも充分に低い値、例えば８００ｈＰａ、に設定し、図４に示される様に、前記ガスクーラ３１の上流側で、前記ガス排気管４を閉塞し、排気装置としての前記真空発生器２４ａにより前記排気ライン３０を真空排気する（ＳＴＥＰ：０１）。前記ガス排気管４の閉塞は、例えば前記ガスクーラ３１の上流側にエアバルブを設け、このエアバルブを閉じることにより行う。この時の、該排気ライン３０の圧力は前記絶対圧検出センサ２４ｂによって検出され、予め設定された設定値と比較し、ＳＴＥＰ：０１で検出した圧力が設定値と同一であれば、前記ガスクーラ３１の上流側迄の区間（区間Ａ）にはリークポイントはないと判断される。一方、ＳＴＥＰ：０１で得られた検出圧力値が設定値より高い場合は、区間Ａにリークポイントが有ると判断される。区間Ａのリークチェック後、ガスクーラ３１の上流側でのガス排気管４の閉塞を解き、区間Ａを大気圧に戻す。このとき、ガス供給管３より区間Ａに対し、不活性ガスを供給するようにしてもよい。【００６１】
次に、圧力の設定値は、ＳＴＥＰ：０１と同様に設定したままの状態で、図５に示される様に前記ガス排気管４の上流端（例えば排気口９）を閉塞し、排気装置としての前記真空発生器２４ａにより前記排気ライン３０を真空排気する（ＳＴＥＰ：０２）。前記ガス排気管４の閉塞は、例えば該ガス排気管４の上流端付近にエアバルブを設け、このエアバルブを閉じることにより行う。この時の、該排気ライン３０の圧力は前記絶対圧検出センサ２４ｂによって検出され、予め設定された設定値と比較され、ＳＴＥＰ：０２で検出した圧力が設定値と同一であれば、前記ガス排気管４の上流端迄の区間（区間Ｂ）にはリークポイントはないと判断される。一方、ＳＴＥＰ：０２で得られた検出圧力値が設定値より高い場合は、区間Ｂにリークポイントが有ると判断される。【００６２】
例えば区間Ａにはリークポイントがなく区間Ｂにリークポイントが有る場合は、区間Ａと区間Ｂが重複しない区間、即ち前記ガスクーラ３１の上流側から前記ガス排気管４の上流端迄の区間にリークポイントが有ると判断される。区間Ｂのリークチェック後、ガス排気管４の上流端でのガス排気管４の閉塞を解き、区間Ｂを大気圧に戻す。この時、ガス供給管３より区間Ｂに対して不活性ガスを供給するようにしても良い。【００６３】
更に、圧力の設定値は、ＳＴＥＰ：０１と同様に設定したままの状態で、図６に示される様に、前記導入口５の上流端を閉塞し、排気装置としての前記真空発生器２４ａにより前記排気ライン３０、前記反応管２を真空排気する（ＳＴＥＰ：０３）。前記導入口５の閉塞は、例えば該導入口５の上流端付近にエアバルブを設け、このエアバルブを閉じることにより行う。この時の前記排気ライン３０の圧力は前記絶対圧検出センサ２４ｂによって検出され、事前に設定された設定値と比較され、ＳＴＥＰ：０３で検出した圧力が設定値と同一であれば、前記導入口５の上流端迄の区間（区間Ｃ）にはリークポイントはないと判断される。一方、ＳＴＥＰ：０３で得られた検出圧力値が設定値より高い場合は、区間Ｃにリークポイントが有ると判断される。【００６４】
例えば区間Ｂにはリークポイントがなく、区間Ｃにリークポイントが有る場合は、区間Ｂと区間Ｃが重複しない区間、即ち前記ガス排気管４の上流端から前記導入口５の上流端迄の区間にリークポイントが有ると判断される。区間Ｃのリークチェック後、導入口５の上流端でのガス供給管３の閉塞を解き、区間Ｃを大気圧に戻す。この時、ガス供給管３より区間Ｂに対して不活性ガスを供給するようにしても良い。【００６５】
尚、各部位を閉塞する手段は、前記排気ライン３０等に設けられている開閉弁を利用してもよく、或は閉塞部分を切離して手で塞いでもよく、或はアイソレーションバルブを用いてもよい。【００６６】
以上で説明した装置セットアップ時のリークチェックや、基板の処理開始前又は装置に異常が見られたときのリークチェックで全ての区間でリークポイントがないと判断されると、基板処理が開始される。尚、装置セットアップ時のリークチェックや、基板の処理開始前又は装置に異常が見られたときのリークチェックで、いずれかの区間でリークポイントがあると判断されると、その区間のガス流通経路を構成する部材（ガス供給管３、反応管２、ガス排気管４、ガスクーラ３１、ブロック５２等）同士の接続部分をチェックし、接続状態が適正かどうかを確認し、適正でない場合は改善がなされる。【００６７】
具体的には、例えば、接続部分を締め付け具等で締め付けている箇所については、締め付け具の締め付け具合をチェックして締め直したり、ガス配管や締め付け具等の接続部分を構成する部材を交換したりする。また、例えば、接続部分がねじ込み式である箇所については、ねじ込み具合をチェックしてねじ込みを直したり、接続部分を交換したりする。尚、接続部分を構成する部材は、当初、適切な状態であったとしても、熱の影響を受け、適正な状態でなくなることもある。例えば、上述のねじ込み部分や締め付け具は熱の影響を受けて緩むことがあり、処理回数が増えるにつれて熱の影響が蓄積された緩むこともある。【００６８】
リークチェックを行う区間としては、上記区分に限定されるものではなく、ガス流通経路を下流側から適宜閉塞していけばよい。【００６９】
また、リークチェックを行う順番としては、上述の順番のように、区間Ａ、区間Ｂ、区間Ｃのうち最も容積の小さい区間から容積の小さい順にリークチェックを行うのが好ましい。これにより、最も容積の大きい区間から容積の大きい順にリークチェックを行う場合に比べて、リークポイントの特定が速い。つまり、リークポイントの特定を効率的に行うことができる。【００７０】
また、区間Ａ、区間Ｂ、区間Ｃに分けてリークチェックを行うことに替えて、ガス流通経路のうち少なくとも排気ライン３０を複数の区間に分け、各区間毎に排気ライン３０におけるリークチェックを行っても良い。これにより、排気ライン３０を区間毎にリークチェックできるので、排気ライン３０にリークがある場合でも、リークポイントの特定を迅速かつ容易に行うことができる。【００７１】
また、少なくとも、排気ライン３０の上流端よりも下流側の第１区間と、反応管２内にガスを導入する導入口５の上流端よりも下流側の第２区間とに分けてリークチェックを行っても良い。これにより、排気ライン３０と反応管２とを別々にリークチェックできるので、リークがある場合でも、リークポイントの特定を迅速かつ容易に行うことができる。【００７２】
また、排気ライン３０の上流端よりも下流側の第１区間と、反応管２内にガスを導入する導入口５の上流端よりも下流側の第２区間とのうち、第１区間をさらに複数の区間に分けてリークチェックを行ってもよい。これにより、排気ライン３０を複数の区間毎にリークチェックできるので、排気ライン３０にリークがある場合でも、リークポイントの特定を迅速かつ容易に行うことができる。【００７３】
また、排気ライン３０の上流端よりも下流側の第１区間と、反応管２内にガスを導入する導入口５の上流端よりも下流側の第２区間とに分けてリークチェックを行う場合、第１区間、第２区間の順にリークチェックを行うのが良い。これにより、第２区間、第１区間の順にリークチェックを行う場合と比較して、リークポイントの特定が速い。つまり、リークポイントの特定を効率的に行うことができる。【００７４】
また、少なくとも、排気ライン３０の上流端よりも下流側の第１区間と、反応管２内にガスを導入する導入口の上流端よりも下流側の第２区間と、ガス供給管３の上流側の所定箇所よりも下流側の第３区間とに分けてリークチェックを行っても良い。これにより、排気ライン３０、反応管２、ガス供給管３とを別々にリークチェックできるので、リークがある場合に、リークポイントの特定を迅速かつ容易に行うことができる。【００７５】
また、排気ライン３０の上流端よりも下流側の第１区間と、反応管２内にガスを導入する導入口の上流端よりも下流側の第２区間と、ガス供給管３の上流側の所定箇所よりも下流側の第３区間とに分けてリークチェックを行う場合、第１区間、前記第２区間、前記第３区間の順にチークチェックを行うのが良い。これにより、第３区間、第２区間、第１区間の順でリークチェックを行う場合と比較して、リークポイントの特定が速い。つまり、リークポイントの特定を効率的に行うことができる。【００７６】
また、本発明は、半導体装置（デバイス）の製造工程の中でも、酸化・拡散装置を用いた酸化・拡散処理工程に適用することが特に有効である。すなわち、酸化・拡散装置は、CVD装置などの他の装置に比べ、排気ラインの構造が複雑といえる。例えば、酸化・拡散装置の排気ラインにはガスクーラや廃液ライン等、CVD装置にはない部材も設けられており、そのため排気ラインを構成する部材同士の接続ポイントも比較的多くなる。また、酸化・拡散装置は、CVD装置に比べ炉内温度が高く、そのため圧力制御弁が熱の影響を受けないように圧力制御弁を反応炉から遠ざけて配置する必要がある。このため、排気口から圧力制御弁までの距離をCVD装置よりも長くする必要がある。また、酸化・拡散装置の排気ラインには、フッ素樹脂製の部分が多く、ねじ込み式の接続部も多い。尚、フッ素樹脂製の部分は継手部分が脆い。このように、酸化・拡散装置においては、排気ラインの構造が比較的複雑であり、排気ラインを構成する部材同士の接続ポイントが比較的多く、排気口から圧力制御弁までの距離が比較的長く、排気ラインにフッ素樹脂製の部分、ねじ込み式の接続部が比較的多く、これらのことからリークポイントとなり得る箇所が比較的多いといえる。このため、本発明は、このようにリークポイントとなり得る箇所が比較的多い酸化・拡散装置に適用する場合に特に有効となる。【００７７】
（付記）
又、本発明は以下の実施の態様を含む。【００７８】
（付記１）基板を反応管内に搬入する工程と、前記反応管内にガス供給ラインよりガスを供給しつつ、排気ラインより排気装置にて排気すると共に、前記排気ラインに設けられた圧力センサからの出力に基づいて前記反応管内の圧力を制御して基板を処理する工程と、処理後の基板を前記反応管内から搬出する工程と、前記ガス供給ライン、前記反応管、前記排気ラインを含むガス流通経路のリークチェックを行う工程と、を有し、前記リークチェックを行う工程では、前記ガス流通経路を少なくとも前記圧力センサおよび前記排気装置と連通する複数の区間に分け、各区間の上流端を閉塞した状態で各区間内を前記排気装置にて排気すると共に各区間内の圧力を前記圧力センサにて測定し、その測定した圧力により区間毎にガス流通経路のリークの有無を判断する半導体装置の製造方法。この形態によれば、ガス流通経路を区間毎にリークチェックできるので、リークがある場合にリークポイントの特定を迅速かつ容易に行うことができる。また、排気ラインに設けられた圧力センサを用いるので、排気ラインを個別にリークチェックすることができる。【００７９】
（付記２）前記リークチェックを行う工程では、前記ガス流通経路の最も下流にある区間から上流に向かって順にリークの有無を判断する付記１記載の半導体装置の製造方法。この形態によれば、付記１の効果に加えて、リークがある場合に、最も上流にある区間から下流に向かってリークチェックする場合に比べ、リークポイントの特定が速い。つまり、リークポイントの特定を効率的に行うことができる。【００８０】
（付記３）前記リークチェックを行う工程では、前記ガス流通経路の最も容積の小さい区間から容積の小さい順にリークの有無を判断する付記１記載の半導体装置の製造方法。この形態によれば、付記１の効果に加えて、リークがある場合に、最も容積の大きい区間から容積の大きい順にリークチェックする場合に比べ、リークポイントの特定が速い。つまり、リークポイントの特定を効率的に行うことができる。【００８１】
（付記４）前記リークチェックを行う工程では、前記ガス流通経路のうち少なくとも前記排気ラインを前記複数の区間に分け、各区間毎に前記排気ラインにおけるリークの有無を判断する付記１記載の半導体装置の製造方法。この形態によれば、付記１の効果に加えて、排気ラインを区間毎にリークチェックできるので、排気ラインにリークがある場合でもリークポイントの特定を迅速かつ容易に行うことができる。【００８２】
（付記５）前記リークチェックを行う工程では、前記ガス流通経路を少なくとも、前記排気ラインの上流端よりも下流側の第１区間と、前記反応管内にガスを導入する導入口の上流端よりも下流側の第２区間とに分け、区間毎にリークの有無を判断する付記１記載の半導体装置の製造方法。この形態によれば、付記１の効果に加えて、排気ラインと、反応管と、を別々にリークチェックできるので、リークがある場合にリークポイントの特定を迅速かつ容易に行うことができる。【００８３】
（付記６）前記リークチェックを行う工程では、前記第１区間をさらに複数の区間に分け、区間毎にリークの有無を判断する付記５記載の半導体装置の製造方法。この形態によれば、付記５の効果に加えて、排気ラインを区間毎にリークチェックできるので、排気ラインにリークがある場合でもリークポイントの特定を迅速かつ容易に行うことができる。【００８４】
（付記７）前記リークチェックを行う工程では、前記第１区間、前記第２区間の順にリークの有無を判断する付記５記載の半導体装置の製造方法。この形態によれば、付記５の効果に加えて、リークがある場合に、第２区間、第１区間の順にリークチェックする場合に比べ、リークポイントの特定が速い。つまり、リークポイントの特定を効率的に行うことができる。【００８５】
（付記８）前記リークチェックを行う工程では、前記ガス流通経路を、少なくとも、前記排気ラインの上流端よりも下流側の第１区間と、前記反応管内にガスを導入する導入口の上流端よりも下流側の第２区間と、前記ガス供給ラインの上流側の所定箇所よりも下流側の第３区間とに分け、区間毎にリークの有無を判断する付記１記載の半導体装置の製造方法。この形態によれば、付記１の効果に加えて、排気ラインと、反応管と、ガス供給ラインと、を別々にリークチェックできるので、リークがある場合にリークポイントの特定を迅速かつ容易に行うことができる。【００８６】
（付記９）前記リークチェックを行う工程では、前記第１区間、前記第２区間、前記第３区間の順にリークの有無を判断する付記８記載の半導体装置の製造方法。この形態によれば、付記８の効果に加えて、リークがある場合に、第３区間、第２区間、第１区間の順にリークチェックする場合に比べ、リークポイントの特定が速い。つまり、リークポイントの特定を効率的に行うことができる。【００８７】
（付記１０）前記ガス流通経路にリークがない状態において、前記ガス供給ライン上流側を閉塞しつつ、前記反応管内を前記排気装置にて真空排気し、そのときの到達圧力を測定する工程と、前記測定した到達圧力を基準圧力として記憶する工程と、をさらに有し、前記リークチェックを行う工程では、前記測定した各区間内の圧力を、前記記憶した基準圧力と比較することで、区間毎に前記ガス流通経路のリークの有無を判断する付記１記載の半導体装置の製造方法。この形態によれば、付記１の効果に加えて、リーク有無の判断を容易に行うことができる。【００８８】
（付記１１）前記リークチェックを行う工程では、前記測定した各区間内の圧力が、前記基準圧力と同等の圧力となった場合、その区間にはリークポイントがないものと判断し、前記測定した各区間内の圧力が、前記基準圧力と同等の圧力とならなかった場合、その区間にはリークポイントがあるものと判断する付記１０記載の半導体装置の製造方法。この形態によれば、付記１０の効果に加えて、リーク有無の判断を、さらに容易に行うことができる。【００８９】
（付記１２）基板を反応管内に搬入する工程と、前記反応管内にガス供給ラインよりガスを供給しつつ、排気ラインより排気装置にて排気すると共に、前記排気ラインに設けられた圧力センサからの出力に基づいて前記反応管内の圧力を制御して基板を処理する工程と、処理後の基板を前記反応管内から搬出する工程と、前記ガス供給ライン、前記反応管、前記排気ラインを含むガス流通経路のうち少なくとも前記排気ラインのリークチェックを行う工程と、を有し、前記リークチェックを行う工程では、前記排気ラインを少なくとも前記圧力センサおよび前記排気装置と連通する複数の区間に分け、各区間の上流端を閉塞した状態で各区間内を前記排気装置にて排気すると共に各区間内の圧力を前記圧力センサにて測定し、その測定した圧力により区間毎に前記排気ラインのリークの有無を判断する半導体装置の製造方法。この形態によれば、排気ラインを区間毎にリークチェックできるので、排気ラインにリークがある場合でもリークポイントの特定を迅速かつ容易に行うことができる。【００９０】
（付記１３）前記基板を処理する工程では、ガスクーラ及び廃液ラインが接続された排気ラインより前記排気装置にて排気する付記１２記載の半導体装置の製造方法。この形態によれば、付記１２の効果に加えて、排気ラインに、ガスクーラや廃液ラインが接続されている場合、排気ラインを構成する部材同士の接続ポイントが多くなり、排気ラインにリークポイントとなり得る箇所が比較的多くなるが、この場合であってもリークポイントの特定を迅速かつ容易に行うことができる。【００９１】
（付記１４）前記基板を処理する工程では、フッ素樹脂製の配管を有する排気ラインより前記排気装置にて排気する付記１２記載の半導体装置の製造方法。この形態によれば、付記１２の効果に加えて、排気ラインがフッ素樹脂製の配管を有する場合、排気ラインにリークポイントとなり得る箇所が比較的多くなるが、この場合であってもリークポイントの特定を迅速かつ容易に行うことができる。【００９２】
（付記１５）前記基板を処理する工程では、基板に対し酸化処理または拡散処理を行う付記１２記載の半導体装置の製造方法。この形態によれば、付記１２の効果に加えて、装置構造が複雑でリークが比較的に発生しやすい装置を用いる酸化処理または拡散処理を行う場合であっても、リークポイントの特定を迅速かつ容易に行うことができる。
【図１】
2007111351.tif 000003
【図２】
2007111351.tif 000004
【図３】
2007111351.tif 000005
【図４】
2007111351.tif 000006
【図５】
2007111351.tif 000007
【図６】
2007111351.tif 000008
【国際調査報告】
2007111351.tif 000009
2007111351.tif 000010
2007111351.tif 000011
2007111351.tif 000012